(57)【要約】      （修正有）【課題】手術又は治療をする際、手術等の妨げになることがなく、又、照射する光の照度を十分確保でき、調整することができる医療用無影灯を提供する。【解決手段】照射体１に複数の照射ユニット３を配設し、この照射ユニット３内に複数のＬＥＤユニットを配設し、ＬＥＤユニット内に赤（Ｒ）、緑（Ｇ）、青（Ｂ）の三原色を発光するＬＥＤチップと、白（Ｗ）を発光するＬＥＤチップとを同時に配設して医療用無影灯を構成する。又、白（Ｗ）を発光するＬＥＤ、赤（Ｒ）を発光するＬＥＤ、緑（Ｇ）を発光するＬＥＤ及び青（Ｂ）を発光するＬＥＤを一体化したカラーＬＥＤチップを配設してもよい。さらに、中央部照射ユニットに対して、周辺部照射ユニットを所定角度傾動自在として配設し、照射角度を変化できるようにしてもよい。【選択図】図３
2019029322.tif 000002
【特許請求の範囲】
【請求項１】
照射体に複数の照射ユニットを配設し、この照射ユニット内にＬＥＤユニットを配設したものであって、このＬＥＤユニット内に赤（Ｒ）、緑（Ｇ）、青（Ｂ）の三原色を発光するＬＥＤチップを配設したことを特徴する医療用無影灯。
【請求項２】
前記ＬＥＤユニット内に、赤（Ｒ）、緑（Ｇ）、青（Ｂ）の三原色を発光するＬＥＤを周方向に適宜間隔を空けて配設したことを特徴とする請求１に記載の医療用無影灯。
【請求項３】
前記ＬＥＤユニット内に、赤（Ｒ）、緑（Ｇ）、青（Ｂ）の三原色を発光するＬＥＤチップと、白（Ｗ）を発光するＬＥＤチップとを同時に配設したことを特徴とする請求１に記載の医療用無影灯。
【請求項４】
前記ＬＥＤユニット内に、白（Ｗ）を発光するＬＥＤ、赤（Ｒ）を発光するＬＥＤ、緑（Ｇ）を発光するＬＥＤ及び青（Ｂ）を発光するＬＥＤを一体化したカラーＬＥＤチップを配設したことを特徴とする請求１に記載の医療用無影灯。
【請求項５】
中央部に配設した中央部照射ユニットと、周辺部に配設した複数の周辺部照射ユニットとから照射体を構成し、前記中央部照射ユニットに対して、前記周辺部照射ユニットを傾動自在としたことを特徴とする請求１乃至４の何れか１に記載の医療用無影灯。
【請求項６】
前記周辺部照射ユニットは、前記中央部照射ユニットの周囲に等間隔で配設してあることを特徴とする請求５に記載の医療用無影灯。
【請求項７】
円周方向に複数に均等に分割した照射ユニットから照射体を構成すると共に、各照射ユニットにおいて、ＬＥＤユニットを中心から放射状に配置したことを特徴とする請求１乃至５の何れか１に記載の医療用無影灯。
【発明の詳細な説明】
【技術分野】
【０００１】
本発明は、光源としてＬＥＤを使用した医療用無影灯に関する。
【背景技術】
【０００２】
手術又は治療をする医師の手指、使用する手術用具又は治療用具によって患者の手術又は治療部位に影が生じ、医師が手術又は治療するのに支障を来たさないように、手術又は治療の際には、照明装置として、影を生じさせない無影灯が使用される。
無影灯の光源としては、従来、白熱電球、クリプトン電球、ハロゲン電球等がよく使用されてきたが、高発熱化する光源を使用すると、体温が上昇して患者の負担が増大すると共に、手術部位等が早期に乾燥して手術等に支障を来たすという問題があった。
【０００３】
このため、近年にあっては、無影灯の光源として、低発熱化が期待できるＬＥＤが使用されるようになってきており、そのような医療用無影灯として、特許文献１に記載されたものが知られている。
【先行技術文献】
【特許文献】
【０００４】
【特許文献１】特開２００６−１５６０７４号公報
【発明の概要】
【発明が解決しようとする課題】
【０００５】
しかし、従来のＬＥＤを採用した医療用無影灯は、ＬＥＤとして白色に発光するものを使用しているため、医師が手術又は治療をする際、手術用具等に照射した光が乱反射等して患部等が見難くなり、手術等の妨げになることがあった。
【０００６】
又、患部等における出血によって、又、人種による目の色素の相違によって、医師が手術又は治療をする際、患部等が若干見難くなることがあった。
さらに、白色ＬＥＤの色温度によっては、医師が冷静さを欠き、患者が不安感を覚える原因になることもあった。
【０００７】
又、従来のＬＥＤを採用した医療用無影灯は、医師が手術又は治療をする際に、患部等を照射する光の照度が十分ではなく、手術等がやり難いことがあった。
【０００８】
さらに、手術をする際、患部の表層を切開等する際には、それほど照度は高くなくともよいが、患部の内奥を切開等する際には、十分に高い照度が必要であるが、従来の医療用無影灯は、光度を調整する以外に照度を調整することはできなかった。
【０００９】
本発明は、かかる従来の問題点に鑑みて為されたものであり、手術又は治療をする際、手術用具等に照射した光が乱反射等して患部等が見難くなり、手術等の妨げになることがなく、患部等における出血、目の色素の相違によって、患部等が若干見難くなることもなく、さらに、医師が冷静さを欠き、患者が不安感を覚える原因となることもない医療用無影灯を提供することを目的とする。
【００１０】
又、医師が手術又は治療をする際に、患部等を照射する光の照度を十分に確保することができ、手術等をやり易くすると共に、手術又は治療時の状況に併せて、無駄な電力消費をすることなく、患部等を照射する光の照度を適宜調整することができる医療用無影灯を提供することをも目的とする。
【００１１】
上記目的を達成するために、本発明の医療用無影灯は、照射体に複数の照射ユニットを配設し、この照射ユニット内にＬＥＤユニットを配設したものであって、このＬＥＤユニット内に赤（Ｒ）、緑（Ｇ）、青（Ｂ）の三原色を発光するＬＥＤチップを配設したことを特徴とする。
【００１２】
前記ＬＥＤユニット内に、赤（Ｒ）、緑（Ｇ）、青（Ｂ）の三原色を発光するＬＥＤチップを周方向に適宜間隔を空けて配設してもよい。
【００１３】
前記ＬＥＤユニット内に、赤（Ｒ）、緑（Ｇ）、青（Ｂ）の三原色を発光するＬＥＤチップと、白（Ｗ）を発光するＬＥＤチップとを同時に配設してもよい。
【００１４】
特には、前記ＬＥＤユニット内に、白（Ｗ）を発光するＬＥＤ、赤（Ｒ）を発光するＬＥＤ、緑（Ｇ）を発光するＬＥＤ及び青（Ｂ）を発光するＬＥＤを一体化したカラーＬＥＤチップを配設するのが好ましい。
【００１５】
又、本発明の医療用無影灯は、中央部に配設した中央部照射ユニットと、周辺部に配設した複数の周辺部照射ユニットとから照射体を構成し、中央部照射ユニットに対して、周辺部照射ユニットを所定角度傾動自在としたことを特徴とする。
【００１６】
ここで、前記周辺部照射ユニットは、中央部照射ユニットの周囲に等間隔で配設してあるのが好ましい。
【００１７】
又、本発明の医療用無影灯は、円周方向に複数に均等に分割した照射ユニットから照射体を構成すると共に、各照射ユニットにおいて、ＬＥＤユニットを中心から放射状に配置したことを特徴とする。
【発明の効果】
【００１８】
本発明の医療用無影灯は、照射ユニット内に配設したＬＥＤユニット内に赤（Ｒ）、緑（Ｇ）、青（Ｂ）の三原色を発光するＬＥＤチップを配設したから、手術又は治療をする際、手術用具等に照射した光が乱反射等して患部等が見難くなり、手術等の妨げになることはない。
【００１９】
又、手術又は治療をする際、患部等における出血、目の色素の相違によって、患部等が若干見難くなることもなく、さらに、医師が冷静さを欠き、患者が不安感を覚える原因となることもない。
【００２０】
又、本発明の医療用無影灯は、中央部照射ユニットに対して周辺部照射ユニットを所定角度傾動自在としたから、周辺部照射ユニットの照射角度を変化させて集光させ、患部等を照射する光の照度を十分に確保でき、手術等をやり易くすることができる。
【００２１】
さらに、手術又は治療時の状況に併せて、周辺部照射ユニットの照射角度を変化させ、患部等を照射する光の照度を適宜調整することができるから、無駄な電力消費をすることはなくなる。
【図面の簡単な説明】
【００２２】
【図１】本発明の床面載置型の医療用無影灯の斜視図である。
【図２】本発明の天井設置型の医療用無影灯の斜視図である。
【図３】本発明の医療用無影灯の照射体の正面図である。
【図４】本発明の医療用無影灯の照射ユニットの正面図である。
【図５】本発明の医療用無影灯のＬＥＤユニットの正面図である。
【図６】本発明の天井設置型の医療用無影灯の斜視図である。
【図７】図６に示す医療用無影灯の照射体の正面図である。
【図８】図６に示す医療用無影灯において、周辺部照射ユニットを所定角度傾動した場合における、対象とする照射面の照度を評価するための簡易モデルの説明図である。
【図９】図６に示す医療用無影灯において、中央部照射ユニット及び周辺部照射ユニットの配光パターンを示す配光図であって、（Ａ）は広角配光パターン、（Ｂ）は狭角配光パターンを示す配光図である。
【図１０】中央部照射体に対して周辺部照射ユニットを傾動させないと共に、配光パターンを広角配光とした場合を示す説明図である。
【図１１】図１０に示す場合において、対象とする照射面の照度をシミュレーションした結果を示す照度分布図である。
【図１２】中央部照射体に対して周辺部照射ユニットを所定角度傾動させると共に、配光パターンを広角配光とした場合を示す説明図である。
【図１３】図１２に示す場合において、対象とする照射面の照度をシミュレーションした結果を示す照度分布図である。
【図１４】中央部照射体に対して周辺部照射ユニットを所定角度傾動させると共に、配光パターンを狭角配光とした場合を示す説明図である。
【図１５】図１４に示す場合においた、対象とする照射面の照度をシミュレーションした結果を示す照度分布図である。
【図１６】本発明の医療用無影灯のＬＥＤユニットの他実施例の正面図である。
【図１７】図１６に示すＬＥＤユニット内に配置されたカラーＬＥＤチップの正面図である。
【図１８】図１７に示すカラーＬＥＤチップに搭載された白色、赤色、緑色及び青色ＬＥＤの分光特性を示すグラフである。
【図１９】本発明の医療用無影灯において、円盤状を呈する照射体を円周方向に６分割した照射ユニットを構成すると共に、各照射ユニットにおいて、ＬＥＤユニットを中心から放射状に配置した場合を示す説明図である。
【図２０】図１９に示す医療用無影灯において、各照射ユニットを水平に保持させた状態における照射状態を示す説明図である。
【図２１】図１９に示す医療用無影灯において、各照射ユニットを水平から５°傾斜させた状態における照射状態を示す説明図である。
【図２２】図１９に示す医療用無影灯において、各照射ユニットを水平から１０°傾斜させた状態における照射状態を示す説明図である。
【発明を実施するための形態】
【００２３】
以下、本発明の医療用無影灯について、図面を参照して詳細に説明する。
図１は、本発明の床面載置型の医療用無影灯の斜視図、図２は、本発明の天井設置型の医療用無影灯の斜視図である。
【００２４】
本発明の医療用無影灯は、図１に示すような、床面載置型の医療用無影灯１１に適用することができる。
この医療用無影灯１１は、車輪１２，１２・・・を備えた脚体１３から支柱１４を立設させ、支柱１４の上端に支杆１５を垂直方向に回動可能に連結し、さらに、支杆１５の先端にアーム１６を３６０°回動可能に連結し、このアーム１６の先端に照射体１を連結してある。
【００２５】
本発明の医療用無影灯は、図２に示すような、天井設置型の医療用無影灯２１に適用することもできる。
この医療用無影灯２１は、装着体２２から支柱２３を垂下させ、支柱２３の周面に支杆２４を水平方向に３６０°回動可能に連結し、さらに、支杆２４の下端に支杆２５を垂直方向に回動可能に連結し、さらに、支杆２５の先端にアーム２６を３６０°回動可能に連結し、このアーム２６の先端に照射体１を連結してある。
【００２６】
照射体１は、図３に示すように、円盤状の筺体２の底面に、周方向等間隔に複数の照射ユニット３，３，・・・を形成してあり、図４に示すように、これら照射ユニット３の内側にＬＥＤユニット４を中央部及び周辺部に複数配設してある。
【００２７】
このＬＥＤユニット４の内側に、図５に示すように、ＬＥＤチップ５及びＬＥＤチップ６を配置してある。
ここで、ＬＥＤチップ５は、赤（Ｒ）、緑（Ｇ）、青（Ｂ）の三原色を発光するＬＥＤ７Ｒ，７Ｇ，７Ｂを配設してあり、ＬＥＤチップ６は、白（Ｗ）を発光するＬＥＤ８を配設してある。
尚、これらＬＥＤチップ５，６から発射される光線を制御するには、レンズによる屈折方式、又は、リフレクタによる反射方式を採用することができるが、レンズ方式の場合には色収差の影響が顕著になるから、リフレクタ方式によるのが好ましい。
すなわち、ＬＥＤユニット４の外周はリフレクタによって包囲させ、光線の制御をするのが好ましい。
【００２８】
本発明の医療用無影灯は、赤（Ｒ）、緑（Ｇ）、青（Ｂ）の三原色を発光するＬＥＤ７Ｒ，７Ｇ，７Ｂを配設したこと、又、それらと共に、白（Ｗ）を発光するＬＥＤ８を配設したことを特徴とする。
【００２９】
ここで、ＬＥＤ７Ｒ，７Ｇ，７Ｂは、複数のＬＥＤユニット４内に各別に配設することもでき、上記のように、単一のＬＥＤユニット４内に同時に配設することもできる。
【００３０】
又、各ＬＥＤユニット４は、包囲するリフレクタを傾動させることによって、所定角度傾動自在となっており、これによって、ＬＥＤ照射光は内側に収束し、又、外側に拡散するようになっている。
【００３１】
本発明の医療用無影灯１１，２１は、以上のような構成であって、支柱１４を把持して移動させ、又、支杆２４を把持して回動させ、手術台、診察台等の周辺の適宜位置に照射体１を移動させる。
【００３２】
そして、赤（Ｒ）、緑（Ｇ）、青（Ｂ）の三原色を発光するＬＥＤチップ５に適宜電圧を印加して、赤（Ｒ）、緑（Ｇ）、青（Ｂ）のＬＥＤ７Ｒ，７Ｇ，７Ｂの発光量を適宜調整すれば、手術又は治療をする際、手術用具等に照射した光が乱反射等して患部等が見難くなり、手術等の妨げになることはない。
【００３３】
又、手術又は治療をする際、患部等における出血、目の色素の相違によって、患部等が若干見難くなることもなく、さらに、医師が冷静さを欠き、患者が不安感を覚える原因となることもない。
【００３４】
さらに、ＬＥＤ７Ｒ，７Ｇ，７Ｂを適宜混在させ、複数のＬＥＤユニット４，４，・・・から光を照射すれば、単色、混色から白色にまで光の色彩を変化させることができ、適宜色彩の色を照射させることができる。
【００３５】
又、ＬＥＤ７Ｒ，７Ｇ，７Ｂ毎に発光量を変更すれば、適宜色彩かつ色調の異なる照射光を形成することができ、患者の嗜好に対応させた色彩環境を形成することができる。
【００３６】
又、前記ＬＥＤユニット内に、赤（Ｒ）、緑（Ｇ）、青（Ｂ）の三原色を発光するＬＥＤチップ５と、白（Ｗ）を発光するＬＥＤチップ６とを同時に配設すれば、白色光にする場合、混合光にする場合を選択でき、より効率的である。
【００３７】
以上のように、本発明の医療用無影灯１によれば、手術又は治療をする際、手術用具等に照射した光が乱反射等して患部等が見難くなり、手術等の妨げになることはない。
【００３８】
又、手術又は治療をする際、患部等における出血、目の色素の相違によって、患部等が若干見難くなることもなく、さらに、医師が冷静さを欠き、患者が不安感を覚える原因となることもない。
【００３９】
次に、本発明の医療用無影灯の他の実施形態について説明する。
図６は、本発明の天井設置型の医療用無影灯の斜視図、図７は、その照射体の正面図である。
【００４０】
この医療用無影灯３１は、図６に示すように、装着体３２から支柱３３を垂下させ、支柱３３の周面に支杆３４を水平方向に３６０°回動可能に連結し、さらに、支杆３４の下端に支杆３５を垂直方向に回動可能に連結し、さらに、支杆３５の先端にアーム３６を３６０°回動可能に連結し、このアーム３６の先端に照射体５１を連結してある。
【００４１】
本発明の医療用無影灯３１は、照射体５１の構成に特徴があるものであって、図６及び７に示すように、照射体５１は、六角形状の筺体５２の底面に構成した複数の照射ユニット５３から構成されるが、中央部に配設した中央部照射ユニット５３Ａに対して、周辺部に配設した複数の周辺部照射ユニット５３Ｂ，５３Ｂ，・・・を所定角度傾動自在としたものである。
【００４２】
ここで、前記周辺部照射ユニット５３Ｂ，５３Ｂ，・・・は、中央部照射ユニット５３Ａの周囲に等間隔で配設してある。
これによって、周辺部照射ユニット５３Ｂ，５３Ｂ，・・・を同時に所定角度傾動させた場合に、照射光を線対称に集光することができる。
【００４３】
そして、上記医療用無影灯１１，２１と同様に、これら照射ユニット５３Ａ，５３Ｂの内側には、図４に示すように、ＬＥＤユニット４を中央部及び周辺部に複数配設してあり、このＬＥＤユニット４の内側には、図５に示すように、ＬＥＤチップ５及びＬＥＤチップ６を配置してある。
【００４４】
周辺部照射ユニット５３Ｂを傾動する手段としては、中央部照射ユニット５３Ａに対して、各周辺部照射ユニット５３Ｂを支持するリンク機構を配設し、このリンク機構をエアシリンダにより作動させることによって、各周辺部照射ユニット５３Ｂを同時に同一角度に傾動させるようにしてもよい。
【００４５】
又、中央部照射ユニット５３Ａに対して、各周辺部照射ユニット５３Ｂを支持する支持部材を配設し、この支持部材をステッピングモータにより作動させることによって、各周辺部照射ユニット５３Ｂを同時に同一角度に傾動させるようにしてもよい。
【００４６】
その他、周辺部照射ユニット５３Ｂを傾動する手段としては、種々形態のものが考えられるが、円滑に傾動させ、所定角度に高精度で位置決めする必要があるため、特には、ステッピングモータによって、又はフィードバック制御をしたＤＣモータによって支持部材
を作動させるのが好ましい。
【００４７】
次に、本発明の医療用無影灯３１によって、周辺部照射ユニット５３Ｂの照射角度を変化させて集光させ、患部等を照射する光の照度を十分に確保できるか確認するため、コンピュータによるシミュレーションを実施した。
【００４８】
シミュレーションを実施するために、図８に示すような、周辺部照射ユニット５３Ｂ，５３Ｂを所定角度傾動した場合における、対象とする照射面６１の照度を評価するための簡易モデルを想定した。
ここで、ｘ，ｙは水平方向、ｚは鉛直方向を示している。照射体５１の中央部照射ユニット５３Ａをａ×ａの正方形状、周辺部照射ユニット５３Ｂをｂ×ｂの正方形状を呈するものと仮定し、中央部照射ユニット５３Ａに対する周辺部照射ユニット５３Ｂの傾斜角度をθとする。
又、評価の対象とする照射面６１をＤ×Ｄの正方形状を呈する領域とし、照射面６１に対する照射体５１の中央部照射ユニット５３Ａの高さをＨとする。
【００４９】
さらに、中央部照射ユニット５３Ａ及び周辺部照射ユニット５３Ｂの配光パターンとしては、図９（Ａ）に示す広角配光パターン、又は、図９（Ｂ）に示す狭角配光の何れかを選択するものとする。
ここで、配光とは、放射された光の広がり方を示すものであって、配光パターンは、上下左右各方向への光の強さを示す配光図によって表示される。
そして、例えば、広角配光は、下方光度の１／２の範囲が３０°以上９０°未満、狭角配光は、下方光度の１／２の範囲が１５°未満の場合と定義される。
【００５０】
［実施例１］
照射体５１の中央部照射ユニット５３Ａの幅ａを２００×２００ｍｍ、周辺部照射ユニット５３Ｂの幅ｂを５００×５００ｍｍ、照射面６１の幅Ｄを１２００×１２００ｍｍ、照射体５１の中央部照射ユニット５３Ａの高さＨを１２００ｍｍとした。
又、中央部照射ユニット５３Ａ、周辺部照射ユニット５３Ｂは、ＬＥＤユニット４を複数配置してあり、各照射ユニットの光束（光度）は、各々１００ｌｍとした。
【００５１】
そして、図１０（Ａ）に示すように、周辺部照射ユニット５３Ｂ，５３Ｂを傾動させることなく、すなわち、傾斜角度θを０°とすると共に、図１０（Ｂ）に示すように、中央部照射ユニット５３Ａ及び周辺部照射ユニット５３Ｂの配光パターンとして、広角配光を選択した。
【００５２】
この場合の照射面６１における照度分布は、図１１に示す通りであった。そして、照射面６１の中央点から直径２００ｍｍの領域Ｃ内における照度の平均値は４６．４２４ｌｘであった。
【００５３】
［実施例２］
次に、図１２（Ａ）に示すように、周辺部照射ユニット５３Ｂ，５３Ｂを傾動させ、傾斜角度θを２０°とすると共に、図１２（Ｂ）に示すように、中央部照射ユニット５３Ａ及び周辺部照射ユニット５３Ｂの配光パターンとして、広角配光を選択した。それ以外の条件は実施例１と同様とした。
【００５４】
この場合の照射面６１における照度分布は、図１３に示す通りであった。そして、照射面６１の中央点から直径２００ｍｍの領域Ｃ内における照度の平均値は５１．６７５ｌｘであった。
ここで、傾斜角度０°の場合の平均照度に対する、傾斜角度２０°の場合の平均照度の比率を集光率と定義すれば、その値は１．１０であった。
【００５５】
［実施例３］
次に、図１４（Ａ）に示すように、周辺部照射ユニット５３Ｂ，５３Ｂを傾動させ、傾斜角度θを２０°とすると共に、図１４（Ｂ）に示すように、中央部照射ユニット５３Ａ及び周辺部照射ユニット５３Ｂの配光パターンとして、狭角配光を選択した。それ以外の条件は実施例１と同様とした。
【００５６】
この場合の照射面６１における照度分布は、図１５に示す通りであった。そして、照射面６１の中央点から直径２００ｍｍの領域Ｃ内における照度の平均値は１４７．８５７ｌｘであった。
ここで、傾斜角度０°の場合の平均照度に対する、傾斜角度２０°かつ狭角配光の場合の平均照度の比率、すなわち、集光率の値は３．２０であった。
【００５７】
以上のシミュレーションの結果に基づけば、本発明の医療用無影灯３１によれば、中央部照射ユニット５３Ａに対して周辺部照射ユニット５３Ｂ，５３Ｂを所定角度傾動させることによって、周辺部照射ユニット５３Ｂ，５３Ｂからの照射光を集光させて、患部等を照射する光の照度を十分に確保できることがわかった。
【００５８】
さらに、中央部照射ユニット５３Ａ及び周辺部照射ユニット５３Ｂの配光パターンとして狭角配光を選択すれば、照射光をさらに集光させて、患部等を照射する光の照度をより高くできることがわかった。
【００５９】
上記においては、天井設置型の医療用無影灯３１について説明したが、床面載置型の医療用無影灯にも適用できること、勿論である。
又、照射体５１を六角形状の筺体５２の底面に構成した複数の照射ユニット５３から構成したものについて説明したが、六角形状に限らず、円形状、矩形状等、種々形状の筺体を選択することができる。
【００６０】
以上のように、本発明の医療用無影灯によれば、周辺部照射ユニットの照射角度を変化させて集光させ、患部等を照射する光の照度を十分に確保できるから、手術等をやり易くすることができる。
【００６１】
又、手術又は治療時の状況に併せて、周辺部照射ユニットの照射角度を変化させ、患部等を照射する光の照度を適宜調整することができるから、無駄な電力消費をすることはなくなり、省エネルギー化にも寄与することができる。
【００６２】
図５に示すようなＬＥＤユニット４に代えて、図１６に示すようなＬＥＤユニット６４を採用してもよい。
このＬＥＤユニット６４の内側中央部には、図１６に示すように、カラーＬＥＤチップ６５を配置してある。
【００６３】
カラーＬＥＤチップ６５は、図１７に示すように、セラミック基板６６上に白（Ｗ）を発光するＬＥＤ６７Ｗ、赤（Ｒ）を発光するＬＥＤ６７Ｒ、緑（Ｇ）を発光するＬＥＤ６７Ｇ及び青（Ｂ）を発光するＬＥＤ６７Ｂを載置させ、エポキシ樹脂又はシリコン樹脂等から成る封止材６８を被覆したものである。
尚、ＬＥＤユニット６４はカラーＬＥＤチップ６５を配置するので、さらに、色収差の影響が顕著になるから、ＬＥＤユニット６４の外周はリフレクタによって包囲させ、光線の制御をするのが好ましい。
【００６４】
ここで、本実施例として使用した白（Ｗ）を発光するＬＥＤ６７Ｗ、赤（Ｒ）を発光するＬＥＤ６７Ｒ、緑（Ｇ）を発光するＬＥＤ６７Ｇ及び青（Ｂ）を発光するＬＥＤ６７Ｂの分光特性は、図１８に示す通りであり、それらの光束（ｌｍ）は、表１に示す通りであった。
尚、図１８において、実線は赤（Ｒ）を発光するＬＥＤ６７Ｒ、点線は緑（Ｇ）を発光するＬＥＤ６７Ｇ、一点鎖線は青（Ｂ）を発光するＬＥＤ６７Ｂ、二点鎖線は白（Ｗ）を発光するＬＥＤ６７Ｗの分光特性を示す。
又、表１において、白（Ｗ）を発光するＬＥＤ６７Ｗの欄に記載された４０００Ｋとは色温度を示す。
【００６５】
【表１】
2019029322.tif 000003
【００６６】
このカラーＬＥＤチップ６５を採用すれば、図１６に示すように、カラーＬＥＤチップ６５をＬＥＤユニット６４の内側中央部に配置することによって、白（Ｗ）を発光するＬＥＤ６７Ｗ、赤（Ｒ）を発光するＬＥＤ６７Ｒ、緑（Ｇ）を発光するＬＥＤ６７Ｇ及び青（Ｂ）を発光するＬＥＤ６７ＢをＬＥＤユニット６４の略中央部に配置することができることになる。
【００６７】
これによって、ＬＥＤユニット６４を点光源に近いものとすることができるから、４色の混合による色ムラを極力防止することができると共に、少ない光束を有するＬＥＤによっても十分な照度を確保することができる。
本実施例においては、表１によれば、全色のＬＥＤを駆動電流１７５ｍＡで点灯させた時には、全色のＬＥＤの合計で１６４ｌｍの光束を現出させることができる。
【００６８】
次いで、円盤状を呈する照射体７１において、図１９に示すように、照射体７１を円周方向に６分割した照射ユニット７３，７３，・・・を構成すると共に、ＬＥＤユニット７４，７４，・・・を中心から放射状に配置した場合における、焦点位置及びそこでの照度を検討した。
【００６９】
ここで、ＬＥＤユニット７４，７４，・・・は、図１９及び表２に示すように、照射体７１の中心から所定間隔をおいて放射状に配置すると共に、その光軸が照射面中央に向くよう、各段におけるＬＥＤユニット７４，７４，・・・を内側へ傾斜させ、その傾斜角度δを外側の段にいくにしたがって大きくなるように設定した。
尚、照射体７１の底面は、各照射ユニット７３，７３，・・・を水平状態とした時、すなわち、水平からの傾斜角度θが０°の時には、床面から２．０ｍの位置にあるよう設定した。
【００７０】
【表２】
2019029322.tif 000004
【００７１】
さらに、各照射ユニット７３，７３，・・・の水平からの傾斜角度θを適宜変化させ、照射体７１から照射される光の焦点位置及びそこでの照度をシミュレーションによって解析した。
【００７２】
その結果、照射ユニット７３，７３，・・・の傾斜角度θを適宜変化させた場合の照射体７１から照射される光の焦点位置は、図２０乃至図２２に示す通りであった。
尚、図２０乃至図２２において、ｄは、照射体７１の底面から下方の所定位置までの距離を示す。
これによれば、患者を載置する手術台の載置面は、通常、照射体７１から１．０ｍ程度の距離に位置するから、本実施条件においては、照射ユニット７３，７３，・・・の傾斜角度θは５°が適当であることがわかった。
【００７３】
又、照射ユニット７３，７３，・・・の傾斜角度θを適宜変化させた場合の照射体７１の底面からの距離ｄ（１．５ｍ，１．０ｍ，０．７ｍ）における、照射体７１の中心軸を中心とする直径２５０ｍｍ以内の範囲における適宜位置の照度は、表３乃至表５に示す通りであった。
これによれば、照射体７１からの距離ｄが１．０ｍにおける最大照度は２４７，３８４ｌｘであるから、本実施条件においては、手術台の載置面において十分な照度を確保できることがわかった。
【００７４】
【表３】
2019029322.tif 000005
【００７５】
【表４】
2019029322.tif 000006
【００７６】
【表５】
2019029322.tif 000007
【００７７】
以上のように、医療用無影灯としてこのような構成を採用することによっても、周辺部照射ユニットの照射角度を変化させて集光させ、患部等を照射する光の照度を十分に確保できるから、手術等をやり易くすることができる。
【００７８】
又、手術又は治療時の状況に併せて、周辺部照射ユニットの照射角度を変化させ、患部等を照射する光の照度を適宜調整することができるから、無駄な電力消費をすることはなくなり、省エネルギー化にも寄与することができる。
【００７９】
上記においては、天井設置型の医療用無影灯について説明したが、床面載置型の医療用無影灯にも適用できること、勿論である。
又、照射体７１を円形状の筺体７２の底面に構成した複数の照射ユニット７３から構成したものについて説明したが、円形状に限らず、矩形状、六角形状等、種々形状の筺体を選択することができる。
【符号の説明】
【００８０】
１  照射体
３  照射ユニット
４  ＬＥＤユニット
５  ＬＥＤチップ
６  ＬＥＤチップ
７Ｒ  赤（Ｒ）を発光するＬＥＤ
７Ｇ  緑（Ｇ）を発光するＬＥＤ
７Ｂ  青（Ｂ）を発光するＬＥＤ
８  白（Ｗ）を発光するＬＥＤ
１１  医療用無影灯
２１  医療用無影灯
３１  医療用無影灯
５１  照射体
５３Ａ  中央部照射ユニット
５３Ｂ  周辺部照射ユニット
６４  ＬＥＤユニット
６５  カラーＬＥＤチップ
６７Ｗ  白（Ｗ）を発光するＬＥＤ
６７Ｒ  赤（Ｒ）を発光するＬＥＤ
６７Ｇ  緑（Ｇ）を発光するＬＥＤ
６７Ｂ  青（Ｂ）を発光するＬＥＤ
７１  照射体
７３  照射ユニット
７４  ＬＥＤユニット
【図１】
2019029322.tif 000008
【図２】
2019029322.tif 000009
【図３】
2019029322.tif 000010
【図４】
2019029322.tif 000011
【図５】
2019029322.tif 000012
【図６】
2019029322.tif 000013
【図７】
2019029322.tif 000014
【図８】
2019029322.tif 000015
【図９】
2019029322.tif 000016
【図１０】
2019029322.tif 000017
【図１１】
2019029322.tif 000018
【図１２】
2019029322.tif 000019
【図１３】
2019029322.tif 000020
【図１４】
2019029322.tif 000021
【図１５】
2019029322.tif 000022
【図１６】
2019029322.tif 000023
【図１７】
2019029322.tif 000024
【図１８】
2019029322.tif 000025
【図１９】
2019029322.tif 000026
【図２０】
2019029322.tif 000027
【図２１】
2019029322.tif 000028
【図２２】
2019029322.tif 000029